(57)【要約】【課題】  落書対象として選択したか否かに拘わらず印刷対象として選択した撮影画像を全て印刷し、より多くのシャッタタイミングの撮影画像を印刷して楽しむことができる画像撮影装置および方法を提供すること。【解決手段】  被写体を撮影する撮影手段と、撮影した複数の被写体画像を表示する表示手段と、表示された被写体画像に対する選択操作を行う第１の入力手段と、選択された被写体画像に対する落書画像像などの編集画像を入力する第２の入力手段と、該第２の入力手段により入力された編集画像と前記被写体画像とを合成する画像処理手段と、合成された画像を印刷出力する印刷手段とを備える画像撮影装置において、前記印刷手段が、前記画像処理手段で合成された画像を含め前記第１の入力手段で選択可能な最大枚数の画像を全て印刷することを特徴とする。【選択図】      図５
2005218059.tif 000002
【特許請求の範囲】
【請求項１】
被写体を撮影する撮影手段と、撮影した複数の被写体画像を表示する表示手段と、表示された被写体画像に対する選択操作を行う第１の入力手段と、選択された被写体画像に対する落書画像像などの編集画像を入力する第２の入力手段と、該第２の入力手段により入力された編集画像と前記被写体画像とを合成する画像処理手段と、合成された画像を印刷出力する印刷手段とを備える画像撮影装置において、
前記印刷手段は、前記画像処理手段で合成された画像を含め前記第１の入力手段で選択可能な最大枚数の画像を全て印刷することを特徴とする画像撮影装置。
【請求項２】
前記表示手段は、前記第１の入力手段で選択された被写体画像のサムネイル画像を表示することを特徴とする請求項１に記載の画像撮影装置。
【請求項３】
被写体を撮影する第１のステップと、撮影した複数の被写体画像を表示する第２のステップと、表示された被写体画像に対する選択操作を行う第３のステップと、選択された被写体画像に対する落書画像像などの編集画像を入力する第４のステップと、入力された編集画像と前記被写体画像とを合成する第５のステップと、合成された画像を印刷出力する第６のステップとを備え、
前記第６のステップにおいて画像を印刷する際に、前記第５のステップで合成された画像を含め前記第３のステップで選択可能な最大枚数の画像を全て印刷することを特徴とする画像撮影方法。
【請求項４】
前記第３のステップにおいて、選択された被写体画像のサムネイル画像を表示することを特徴とする請求項３に記載の画像撮影方法。
【発明の詳細な説明】
【技術分野】
【０００１】
本発明は、人物等の被写体の画像と各種スタンプや落書きなどの画像との合成画像をシール等の出力媒体に印刷して出力する画像撮影装置および方法に関するものである。
【背景技術】
【０００２】
従来、下記の特許文献１に示されるように、自動写真シール機において、撮影した画像に落書きを行うために、複数の画面に複数のタッチペンを設け、複数のユーザが同時に落書き入力可能にした写真シール印刷装置が知られている。
【特許文献１】特許３１９６８９７号公報（特開２００２−７７７８２号公報）
【発明の開示】
【発明が解決しようとする課題】
【０００３】
前記特許文献１に開示された従来技術にあっては、撮影したＭ枚の画像（Ｍ回のシャッタタイミングで撮影した画像）の中から印刷対象とするＮ枚（Ｎ＜Ｍ）の画像をキープ画像として選択し、さらにこのＮ枚のキープ画像の中から落書画面で落書対象とするＫ枚（Ｋ＜Ｎ）の画像を選択して落書きを行い、その落書きを行った画像を落書画面におけるプリントボタン操作に従って印刷するように構成しているため、次のような問題がある。
すなわち、印刷対象として選択したにも拘わらず落書対象として選択しなかった撮影画像（Ｎ−Ｋ枚の画像）については、当該画像を記念として印刷しておきたくても印刷することができない。すなわち、撮影したＭ枚の画像を最終的にはＫ枚に絞り込んで印刷しているため、落書き対象として選択しなかった画像については印刷することができない。この場合、落書画面で落書をしないで直ちにプリントボタンを操作すれば、落書をしない画像を印刷することは可能である。しかし、印刷可能な画像はＫ枚であり、Ｎ−Ｋ枚の中に記念として残しておきたい画像があったとしても印刷することができない。
【０００４】
本発明の目的は、落書対象として選択したか否かに拘わらず印刷対象として選択した撮影画像を全て印刷し、より多くのシャッタタイミングの撮影画像を印刷して楽しむことができる画像撮影装置および方法を提供することにある。
【課題を解決するための手段】
【０００５】
上記の目的を達成するために、本発明は、被写体を撮影する撮影手段と、撮影した複数の被写体画像を表示する表示手段と、表示された被写体画像に対する選択操作を行う第１の入力手段と、選択された被写体画像に対する落書画像像などの編集画像を入力する第２の入力手段と、該第２の入力手段により入力された編集画像と前記被写体画像とを合成する画像処理手段と、合成された画像を印刷出力する印刷手段とを備える画像撮影装置において、前記印刷手段が、前記画像処理手段で合成された画像を含め前記第１の入力手段で選択可能な最大枚数の画像を全て印刷することを特徴とする。
また、前記表示手段は、前記第１の入力手段で選択された被写体画像のサムネイル画像を表示することを特徴とする。
また、被写体を撮影する第１のステップと、撮影した複数の被写体画像を表示する第２のステップと、表示された被写体画像に対する選択操作を行う第３のステップと、選択された被写体画像に対する落書画像像などの編集画像を入力する第４のステップと、入力された編集画像と前記被写体画像とを合成する第５のステップと、合成された画像を印刷出力する第６のステップとを備え、前記第６のステップにおいて画像を印刷する際に、前記第５のステップで合成された画像を含め前記第３のステップで選択可能な最大枚数の画像を全て印刷することを特徴とする。
また、前記第３のステップにおいて、選択された被写体画像のサムネイル画像を表示することを特徴とする。
【発明の効果】
【０００６】
本発明によれば、撮影された画像の最大枚数の中から、印刷対象として選択した画像の全てを印刷することができるので、落書対象として選択したか否かに拘わらず印刷対象として選択した撮影画像を全て印刷し、より多くのシャッタタイミングの撮影画像を印刷して楽しむことができる。
【発明を実施するための最良の形態】
【０００７】
以下、本発明に係る画像撮影装置の実施の形態を図面を参照して具体的に説明する。
以下、本発明を実施する場合の一形態を図面を参照して具体的に説明する。
図１は、本発明に係る画像撮影装置の実施の形態を示すブロック図である。
本実施形態で示す画像撮影装置は、図１に示すように、大別すると、撮影室内の被写体画像を撮影するカメラ１と、カメラ１が撮影している被写体の動画像を表示する撮影用モニタ２と、被写体に対して所定の明るさの照明を与える照明装置３と、被写体に対して所望の背景画像を与える背景機構４と、カメラ１で撮影した被写体画像を表示し、その表示された被写体画像に対し所望の落書き画像などをタッチペン操作で入力するための編集用モニタ５と、落書き画像などの編集画像を入力するための複数のタッチペン６ａ，６ｂと、被写体画像に対し落書きなどが合成された合成画像を写真シールとして印刷出力するプリンタ７と、被写体である利用者に各種の案内メッセージを音声で通知するスピーカ８と、装置全体を制御する制御装置９によって構成されている。
これらの各部は図２（ａ）の筐体内部側面図に示すように、筐体２０の内部において背景機構４で仕切られた撮影室２１に設置される。図２（ａ）において、２２は装置本体であり、カメラ１は装置本体２２のほぼ中央位置に取り付けられている。
２８は、背景機構４によって仕切られた編集室であり、この編集室２８内に編集用モニタ５とプリンタ７とが台２３に収容されて設置されている。また、編集室２８に利用者が入室したことを検出するセンサ１０が設けられている。
【０００８】
図３は、装置本体２２の斜視図であり、照明装置３は撮影室２１内の被写体２４に対して正面左右から所定の明るさの照明光を与えるように設置され、また撮影用モニタ２はカメラ１に隣接して設置され、カメラ１に向かって任意の撮影ポーズをとった場合の被写体画像を被写体２４の位置から確認可能なようになっている。
被写体２４の左右および斜め上方に設置される照明装置３は、それぞれ、面光源３１とストロボ３２を内蔵し、撮影ポーズを確認する場合に面光源３１によって所定の明るさの照明光を被写体２４の方向に照射している。撮影ポーズの確認が終わり、被写体２４の静止画を撮影するタイミングになったならば、ストロボ３２が発光し、被写体２４に対して面光源３１からの照明光に加えストロボ光を被写体２４に照射するようになっている。
背景機構４は、被写体２４の背景となる画像を与えるものであり、被写体２４が撮影用モニタ２での案内メッセージに従って予め用意された複数の背景画像のうち任意の背景画像を付属のタッチペン２ａによって選択可能なように構成されている。なお、案内メッセージは撮影用モニタ２に表示する以外にスピーカ８からの音声等であってもよく、背景画像の選択手段はタッチペン２ａ以外のボタンまたは案内用のモニタでのタッチペン操作等で行うように構成することができる。
【０００９】
本実施例で示す背景機構４は、複数枚のカーテンに各種の背景画像を印刷した電動式カーテンで構成され、撮影室２１に入室した利用者が例えば「夕焼け」の背景画像を選択した場合には、「夕焼け」の風景を印刷したカーテンが被写体２４の背景になるように電動制御によって位置付けられる。背景機構４は、撮影室２１に利用者がいない状態、および利用者が入室して撮影が終了するまでの間は編集室２８との間を仕切るように位置付けられている。
また、撮影が終了した場合には、背景機構４の各種背景画像を印刷したカーテンの全てが後述の図７（ａ）に示すように、撮影室２１と編集室２２の境界上で上方に巻き上げられて撮影空間から退出させ、撮影室２１から編集室２８への移動が可能な状態に制御される。
そして、撮影を終えた利用者が編集室２８に移動した場合、何れかの背景画像のカーテンが降下され、撮影室２１と編集室２８とが仕切られる。なお、新たな利用者が撮影室２１に入場していない場合には、入場するまで撮影室２１と編集室２８とを仕切らずに、往来可能な状態にし、再度の撮影を行うことも可能になっている。
なお、背景機構４としては、電動式のカーテン構造に限定されるものではなく、電動式の扉機構であってもよい。また、背景機構４が撮影室２１と編集室２８を仕切った後には、編集室２８での編集が終了するまで撮影室２１と編集室２８との仕切りが開かないように背景機構４の動作を制御するような構成としてもよい。
【００１０】
制御装置９は、メモリ９２に格納されたプログラムによって装置全体を制御するＣＰＵ９１と、画像カメラ１で撮影された画像（動画像、静止画）を入力する画像入力部９３と、撮影用モニタ２に被写体２４の動画像を表示させるための画像出力部９４と、スピーカ８に各種の案内メッセージの音声信号を出力する音声出力部９５と、落書きに使用する各種のスタンプ画像、各種の案内メッセージ（音声及び文字情報）などを記憶しているパターンメモリ９６と、被写体画像と落書き画像との合成画像をＣＰＵ１と共同して作成する画像処理部９７と、正規の利用料金が投入されたことを検出するコイン制御部９８と、照明制御部９９と、背景機構制御部１００と、被写体の静止画を撮影する時のシャッタタイミングを与えるタイマ１０１と、被写体２４が撮影室２１内に入室した状態かどうかを検知するセンサ１０２と、編集室２８内の編集用モニタ５に被写体画像を編集用画像として表示させる画像出力部１０３と、プリンタ制御部１０４とで構成されている。
【００１１】
図４は、以上のように構成された写真シール印刷装置の動作の概要を示すフローチャートである。
まず、利用者である被写体２４が撮影室２１内に入室したことをセンサ１０２によって検出したならば、ＣＰＵ９１は利用の仕方、利用料金などの案内メッセージをスピーカ８から音声により出力すると共に、撮影用モニタ２に初期画面を表示させる（ステップ４０１，４０２）。
これに対して、正規の利用料金が投入されたことをコイン制御部９８が検出したならば、撮影用モニタ２にフレームの種類（ワイド、アップ、スリム）を表示し、タッチペン２ａを用いて何れかのフレームの種類を被写体２４に選択させる（ステップ４０３，４０４）。例えば、複数の被写体が漏れなく写るワイドを選択させる。
次に、撮影用モニタ２に背景画像の種類を表示し、タッチペン２ａを用いて何れかの背景画像を選択させる（ステップ４０５）。例えば、夕焼け風景の背景画像を選択させる。
ＣＰＵ９１は、選択されたフレームの種類に応じてカメラ１のズーム倍率を制御し、また選択された背景画像が被写体２４の背景になるように背景機構４を電動制御する。
この後、カメラ１で撮影している被写体２４について背景画像を含む動画像を撮影用モニタ２に表示する（ステップ４０６）。
【００１２】
被写体２４は、撮影用モニタ２に映し出されている自身の映像を見ながら撮影ポーズを決める。背景画像の選択後、所定時間経過すると、タイマ１０１で定められた時間間隔で被写体２４の撮影が開始される（ステップ４０７）。ＣＰＵ９１は、被写体の静止画が撮影される毎に、その静止画をメモリ９２に記憶させる（ステップ４０８）。そして、予め決められたＮ枚の撮影が終了したならば（ステップ４０９）、背景機構４の全ての背景画像のカーテンと巻き上げ、撮影室２１から編集室２８への移動が可能な状態にし、スピーカ８から「編集室へ移動してください」という案内メッセージを発生させる（ステップ４１０）。なお、案内メッセージはスピーカ８からの音声以外に、撮影用モニタ２に表示する等の方法で発生させてもよい。
そこで、撮影を終えた被写体が編集室２８へ移動し、このことを編集室２８に設置されたセンサ１０が検出したならば（ステップ４１１）、ステップ４０７で撮影したＮ枚の撮影画像のサムネイルを編集用モニタ５に表示させる（ステップ４１２）。
【００１３】
被写体２４である利用者は、表示されたサムネイルの中から所望のショットの複数枚の撮影画像を選択する（ステップ４１３）。
選択操作が終わったならば、ＣＰＵ９１は、被写体２４が選択した複数ショットの撮影画像に対し、色変更、落書きなどの編集操作（レタッチ）をタッチペン６ａ，６ｂで行わせる（ステップ４１４）。
編集操作が終了したならば、落書きなどの編集画像とメモリ９２に記憶させておいた撮影画像とを合成する。そして、プリント形式、例えば１枚のシートに撮影画像をどのような形式で印刷するかを選択させる（ステップ４１５）。
印刷形式が指定されたならば、プリンタ７から落書き画像４２０が合成された被写体画像の写真シール４２１を印刷出力させる（ステップ４１６）。
以上が、図１の構成に係る画像撮影装置の動作の概要である。
【００１４】
図２（ｂ）は編集用モニタ５で落書き画像を入力する様子を筐体上方から見た場合の平面図である。
本実施形態においては、編集用モニタ５が２つのタッチパネル付きディスプレイ５ａ，５ｂで構成され、それぞれのディスプレイ５ａ，５ｂの画面がほぼ水平になるように設置されている。
なお、図２（ｂ）において、２５，２６は、筐体側面に設けられた撮影室２１への入口であり、２７は編集室２８からの出口である。なお、次の図６（ａ）に示すように、出口は筐体側面の両側または片側に設けてもよく、ディスプレイ５ａ，５ｂは筐体背面（撮影室２１と反対側）に接触させて配置してもよい。
ディスプレイ５ａ，５ｂには、落書きを行う場合に、図６に示すような編集画面が表示される。すなわち、図２（ｂ）に示すように複数の利用者が互いに対峙した状態でタッチペン６ａ，６ｂを用いて落書きなどの編集を行えるような編集画面６０ａ，６０ｂが表示される。
【００１５】
図５、図６は、図４のステップ４１３、４１４において落書などの編集を行う際の画像配置及び、落書き画像保存処理を詳細に示すフローチャートである。
まず、図４のステップ４１２で複数枚の撮影画像のサムネイル画像が全て表示され、その複数枚の撮影画像に対しステップ４１３のショット選択操作によって落書対象の画像が選択される。
ここで、落書対象として選択できる画像の枚数は、撮影した最大撮影枚数をＭとし、選択できる最大枚数をＮとした場合は、Ｍ＞Ｎとする。
例えば、撮影を６回行った場合はＭ＝６で記録された全画像は６枚であるが、選択可能な最大枚数ＮはＮ＝４とする。
選択された画像は図６の編集画面に示すようにサムネイル画像６１として表示される（ステップ５０１）。
表示された複数枚（Ｎ枚）のサムネイル画像６１に対しては全て落書きの対象であり、落書きの有無を問わず、全てが印刷出力される。
【００１６】
まず、被写体２４のそれぞれは、交互にそれぞれのサムネイル画像６１を１枚づつ選択する。選択されたサムネイル画像６１は編集対象画像６２として拡大表示される。そこで、この編集対象画像６２に対してレタッチ、落書き、色変更などの画像編集を行う（ステップ５０２）。ここで、編集画面６０ａ，６０ｂにおいて選択される画像は、それぞれ異なる画像が対象であり、同じ画像が選択されることはない。
編集画面６０ａ，６０ｂに対応して設けられたタッチペン６ａ，６ｂにより、落書などの画像編集を行い、１枚目の画像に対する編集が終了したら、次の編集対象となる画像をサムネイル画像６１の中から選択し、入れ替える（ステップ５０３）。
ここで画像編集が行われた画像（落書き処理された画像）は選択されたサムネイル画像と入れ替わるときに、落書き画像と共に記録保存される（ステップ５０４）。
編集対象画像は施した編集処理（落書き画像）と共にレイヤとして関連して保存されているので、もう一度この画像を対象に編集する場合、編集処理されたデータもそのまま表示され、上書き及び、削除することができる。
また、ユーザ（被写体）が向かい合って編集しているため、サムネイル画像６１の向きは、ランダムな向きに変更される。なお、任意の向きに変更することも可能になっている。
この編集処理、及び編集対象となる画像の入れ替えは編集時間（落書き時間）の制限時間が終了するまで続けることができる（ステップ５０９）。編集時間がタイムアップになると、同時に編集中の画像も全て記録保存される。
従って、編集時間がタイムアップするまでの間は、１つの編集対象画像に対し、複数種類の落書きを施し、それぞれの落書き結果の画像を別々に記録保存することができる。１つの編集対象画像に対して１回しか落書き行わなければ落書き結果の画像は１種類となる。
なお、編集時間のカウントは実時間でも良いし、実際に経過する時間より長めにカウント表示しても構わない、例えば、実時間としては２秒経過しているがカウント秒数は１秒だけ進めると表示を行っても構わない。
次にプリント形式（フレームレイアウト）を選択し（ステップ４１５）、印刷を行う（ステップ４１６）。
【００１７】
図６において、６１は図４のステップ４１０で表示された複数ショットの被写体画像のサムネイル画像であり、ここで表示されるサムネイル画像６１の向きは、複数の被写体２４が対面式で編集することから、それぞれの画像６１の向きがランダムになっており、また、任意で画像の向きを変更することができる。
６２はサムネイル画像６１の中から選択した１つのショットの編集対象画像（被写体画像）であり、６３は落書きに使用するスタンプ画像である。なお、色変更や落書きを行うために、スタンプ画像以外に、パレットなどが設けられている。
なお、編集対象画像６２は対面に存在するそれぞれの被写体であったユーザは同時に同じ画像を選択することはできないようになっている。
編集対象画像６２に対して、落書きなどの画像編集を行った後、被写体であったユーザが別のサムネイル画像６１をタッチペンで選択すると、表示されている編集対象画像６２はタッチペンで選択したサムネイル画像の拡大画像に置き換わる。このとき、最初の画像に施した落書きなどの画像処理内容はそのまま保存される。対面にいるユーザが、落書きなどの画像処理を施した画像を選択して、さらに落書きなどの画像処理を上書き、削除を行うこともできる。
【００１８】
図７（ａ），（ｂ）は、ユーザである被写体２４が撮影室２１へ入室した後、編集室２８へ移動し、さらに編集室２８から筐体外部へ移動する様子を示した図であり、撮影室２１において撮影を終えたならば、図７（ａ）に示すように、背景機構４の全てのカーテンが上方に巻き上げられ、撮影室２１から編集室２８への移動が可能な状態に制御される。
そして、撮影室２１と編集室２８との境界がなくなった状態において、被写体２４は撮影室２１から編集室２８へ移動し、落書などの編集操作を編集用モニタ５の画面上で行う。そして、編集操作が終わり、印刷シールをプリンタ出口から受取ったならば、出口２７から退室する。
従って、上記の実施形態においては、例えばＭ＝６の最大撮影枚数Ｍに対し印刷対象として選択可能な画像枚数Ｎを例えば４とし、プリント形式を１枚のシートに１６分割して印刷する形式を選択した場合、落書きを行うか否かに関係なく、Ｎ枚の画像が１６分割して印刷される。
【００１９】
図８（ａ）は、Ｎ枚の選択画像に対し落書きを何もせずに印刷した場合の印刷例を示す図である。
図８（ｂ）は、Ｎ枚の選択画像に対し、２枚について落書きを行って印刷した場合の例を示す図である。図８（ｂ）において、星印やハートマークなどの画像８０１は落書き画像である。
なお、ここでは、１６分割印刷形式の例を示しているが、本発明はこれに限定されるものではない。
このように、本実施形態においては、撮影された画像の最大枚数の中から、印刷対象として選択した画像の全てを印刷することができるので、落書対象として選択したか否かに拘わらず印刷対象として選択した撮影画像を全て印刷し、より多くのシャッタタイミングの撮影画像を印刷して楽しむことができる。
なお、上記の実施形態において、プリンタは筐体外部の編集室に近い位置に設置するように構成することができる。
【図面の簡単な説明】
【００２０】
【図１】本発明に係る画像撮影装置の実施の形態を示すブロック図である。
【図２】本発明に係る画像撮影装置の匡体内の構成を示す側面図および平面図である。
【図３】制御装置の概略構成を示す斜視図である。
【図４】本発明に係る画像撮影装置の動作の概要を示すフローチャートである。
【図５】落書などの編集を行う際の画像配置及び、落書き画像保存処理を詳細に示すフローチャートである。
【図６】落書き等を行う編集用モニタの編集画面の表示例を示す図である。
【図７】利用者が撮影室および編集室へ移動する様子を示す図である。
【図８】印刷画像の例を示す図である。
【符号の説明】
【００２１】
１    カメラ
２    撮影用モニタ
３    照明装置
４    背景機構
５    編集用モニタ
６ａ，６ｂ    タッチペン
７    プリンタ
９      制御装置
２１    撮影室
２４    被写体
２８    編集室
６２    編集対象画像
【図１】
2005218059.tif 000003
【図２】
2005218059.tif 000004
【図３】
2005218059.tif 000005
【図４】
2005218059.tif 000006
【図５】
2005218059.tif 000007
【図６】
2005218059.tif 000008
【図７】
2005218059.tif 000009
【図８】
2005218059.tif 000010